(57)【特許請求の範囲】
【請求項１】
第１表示面と、
第２表示面と、
前記第１表示面に対する入力を検出する第１検出部と、
前記第２表示面に対する入力を検出する第２検出部と、
メールを送受信する通信処理部と、
前記通信処理部が受信するメールに含まれる所定情報および前記所定情報に関連するアプリケーションプログラムを記憶する記憶部と、
前記記憶部に記憶されたアプリケーションプログラムを実行する制御部とを備え、
前記制御部は、
前記第１および第２検出部のいずれか一方の検出部により前記メールを前記第１および第２表示面のいずれか一方の表示面に表示する入力が検出されると、
前記メールを前記一方の表示面に表示すると共に、
前記一方の表示面に表示される前記メールに含まれる前記所定情報に関連するアプリケーションプログラムを実行し、当該アプリケーションプログラムに関連する画面を他方の表示面に表示し、
さらに、前記制御部は、
複数のアプリケーションプログラムが実行される場合、実行される前記複数のアプリケーションプログラムの中の少なくとも２つ以上のアプリケーションプログラムについて、当該２つ以上のアプリケーションプログラムのそれぞれを示す複数の項目画像を前記一方の表示面または前記他方の表示面に表示するとともに何れか一つのアプリケーションプログラムの実行画面を前記他の表示面に表示し、何れかの項目画像が選択されると、選択された項目画像に対応するアプリケーションプログラムの実行画面を前記他の表示面に表示する、
ことを特徴とする携帯端末装置。
【請求項２】
請求項１に記載の携帯端末装置において、
前記制御部は、前記一方の表示面に前記複数の項目画像を表示する、
ことを特徴とする携帯端末装置。
【請求項３】
請求項１または２に記載の携帯端末装置において、
前記制御部は、前記通信処理部が受信したメールに前記所定情報が含まれない場合、両方の表示面に前記メールを表示する、または、前記一方の表示面に前記メールを表示し前記他方の表示面にメールリストを表示する、
ことを特徴とする携帯端末装置。
【請求項４】
請求項１ないし３の何れか一項に記載の携帯端末装置において、
前記第１表示面を有する第１キャビネットと、
前記第２表示面を有する第２キャビネットと、
前記第１表示面が外部に露出する１画面状態と、前記第２表示面の少なくとも一部および前記第１表示面が外部に露出する２画面状態とで切り替え可能なように前記第１キャビネットと前記第２キャビネットを連結させる機構部とをさらに備え、
前記制御部は、前記２画面状態において、前記メールを前記第１表示面に表示し、実行された前記アプリケーションプログラムに関連する画面を前記第２表示面に表示する、
ことを特徴とする携帯端末装置。
【請求項５】
請求項４に記載の携帯端末装置において、
前記制御部は、
前記１画面状態において、前記メールを前記第１表示面に表示し、
前記１画面状態から前記２画面状態に切り替えられると、前記メールを前記第１表示面に表示すると共に、実行された前記アプリケーションプログラムに関連する画面を前記第２表示面に表示する、
ことを特徴とする携帯端末装置。
【請求項６】
請求項４または５に記載の携帯端末装置において、
前記制御部は、前記１画面状態において、前記複数の項目画像を前記第１表示面に表示する、
ことを特徴とする携帯端末装置。
【請求項７】
請求項６に記載の携帯端末装置において、
前記制御部は、前記第１検出部により前記複数の項目画像のうち一つの項目画像を選択する入力が検出されると、選択された項目画像により示されるアプリケーションプログラムに関連する画面を前記第１表示面に表示する、
ことを特徴とする携帯端末装置。
【請求項８】
請求項１に記載の携帯端末装置において、
前記第１表示面を有する第１キャビネットと、
前記第２表示面を有する第２キャビネットと、
前記第１表示面が外部に露出する１画面状態と、前記第２表示面の少なくとも一部および前記第１表示面が外部に露出する２画面状態とで切り替え可能なように前記第１キャビネットと前記第２キャビネットを連結させる機構部とをさらに備え、
前記制御部は、前記２画面状態において、前記メールを前記第２表示面に表示し、実行された前記アプリケーションプログラムに関連する画面を前記第１表示面に表示する、
ことを特徴とする携帯端末装置。
【請求項９】
第１表示面と、第２表示面と、前記第１表示面に対する入力を検出する第１検出部と、前記第２表示面に対する入力を検出する第２検出部と、メールを送受信する通信処理部とを備える携帯端末装置のコンピュータに、
前記第１および第２検出部のいずれか一方の検出部により前記メールを前記第１および第２表示面のいずれか一方の表示面に表示する入力が検出されると、
前記メールを前記一方の表示面に表示すると共に、
前記一方の表示面に表示される前記メールに含まれる前記所定情報に関連するアプリケーションプログラムを実行し、当該アプリケーションプログラムに関連する画面を他方の表示面に表示する表示機能を付与し、
前記表示機能が、
複数のアプリケーションプログラムが実行される場合、実行される前記複数のアプリケーションプログラムの中の少なくとも２つ以上のアプリケーションプログラムについて、当該２つ以上のアプリケーションプログラムのそれぞれを示す複数の項目画像を前記一方の表示面または前記他方の表示面に表示するとともに何れか一つのアプリケーションプログラムの実行画面を前記他の表示面に表示し、何れかの項目画像が選択されると、選択された項目画像に対応するアプリケーションプログラムの実行画面を前記他の表示面に表示する機能を含む、
ことを特徴とするプログラム。
【請求項１０】
第１表示面と、第２表示面と、前記第１表示面に対する入力を検出する第１検出部と、前記第２表示面に対する入力を検出する第２検出部と、メールを送受信する通信処理部と、前記通信処理部が受信するメールに含まれる所定情報および前記所定情報に関連するアプリケーションプログラムを記憶する記憶部とを備える携帯端末装置におけるメール表示方法であって、
前記メールを前記第１および第２表示面のいずれか一方の表示面に表示する入力が行われたことを検出する入力検出ステップと、
前記入力検出ステップによる検出に基づいて、前記メールを前記一方の表示面に表示すると共に、前記一方の表示面に表示される前記メールに含まれる前記所定情報に関連するアプリケーションプログラムを実行し、当該アプリケーションプログラムに関連する画面を他方の表示面に表示する表示ステップと、を含み、
前記表示ステップが、
複数のアプリケーションプログラムが実行される場合、実行される前記複数のアプリケーションプログラムの中の少なくとも２つ以上のアプリケーションプログラムについて、当該２つ以上のアプリケーションプログラムのそれぞれを示す複数の項目画像を前記一方の表示面または前記他方の表示面に表示するとともに何れか一つのアプリケーションプログラムの実行画面を前記他の表示面に表示し、何れかの項目画像が選択されると、選択された項目画像に対応するアプリケーションプログラムの実行画面を前記他の表示面に表示するステップを含む、
ことを特徴とするメール表示方法。
【発明の詳細な説明】
【技術分野】
【０００１】
本発明は、携帯電話機やＰＤＡ（Personal Digital Assistant）、タブレットＰＣ（TabletPC）、電子書籍端末、携帯ゲーム機等の携帯端末装置に関するものである。
【背景技術】
【０００２】
従来、２つの表示装置を有する携帯端末装置が知られている。このような携帯端末装置では、メールのリストが主表示装置に表示されている状態で、ユーザーがリストからメールを指定し、副筐体を引き出す。これにより、指定されたメールの詳細が副筐体の副表示装置に表示され得る（たとえば、特許文献１参照）。
【先行技術文献】
【特許文献】
【０００３】
【特許文献１】ＷＯ２００３／０７７０９７号公報
【発明の概要】
【発明が解決しようとする課題】
【０００４】
しかしながら、従来技術では、メールのリストと、リストから指定されたメールの詳細とが２つの表示装置のそれぞれに表示されるのみに留まる。このため、たとえば、メールにファイルが添付されていたり、メールの本文などに連絡先情報などが含まれていたりする場合、ユーザーはメールからこれらの情報を見つけ出す必要がある。その上、見つけ出した情報に関連するアプリケーションプログラムを選び出し、このアプリケーションプログラムを実行しなければならない。このため、メールに関連する操作が多くなり、手間がかかる。
【０００５】
本発明は、かかる課題に鑑みてなされたものであり、メールに関連する機能の操作性を向上させることができる携帯端末装置を提供することを目的とする。
【課題を解決するための手段】
【０００６】
本発明の第１の態様に係る携帯端末装置は、第１表示面と、第２表示面と、前記第１表示面に対する入力を検出する第１検出部と、前記第２表示面に対する入力を検出する第２検出部と、メールを送受信する通信処理部と、前記通信処理部が受信するメールに含まれる所定情報および前記所定情報に関連するアプリケーションプログラムを記憶する記憶部と、前記記憶部に記憶されたアプリケーションプログラムを実行する制御部とを備える。ここで、前記制御部は、前記第１および第２検出部のいずれか一方の検出部により前記メールを前記第１および第２表示面のいずれか一方の表示面に表示する入力が検出されると、前記メールを前記一方の表示面に表示する。前記メールの表示と共に、前記制御部は、前記一方の表示面に表示される前記メールに含まれる前記所定情報に関連するアプリケーションプログラムを実行し、当該アプリケーションプログラムに関連する画面を他方の表示面に表示する。さらに、前記制御部は、複数のアプリケーションプログラムが実行される場合、実行される前記複数のアプリケーションプログラムの中の少なくとも２つ以上のアプリケーションプログラムについて、当該２つ以上のアプリケーションプログラムのそれぞれを示す複数の項目画像を前記一方の表示面または前記他方の表示面に表示するとともに何れか一つのアプリケーションプログラムの実行画面を前記他の表示面に表示し、何れかの項目画像が選択されると、選択された項目画像に対応するアプリケーションプログラムの実行画面を前記他の表示面に表示する。
本発明に係る携帯端末装置において、前記制御部は、前記一方の表示面に前記複数の項目画像を表示するよう構成され得る。
本発明に係る携帯端末装置において、前記制御部は、前記通信処理部が受信したメールに前記所定情報が含まれない場合、両方の表示面に前記メールを表示する、または、前記一方の表示面に前記メールを表示し前記他方の表示面にメールリストを表示するよう構成され得る。
【０００７】
本発明に係る携帯端末装置において、前記第１表示面を有する第１キャビネットと、前記第２表示面を有する第２キャビネットと、前記第１表示面が外部に露出する１画面状態と、前記第２表示面の少なくとも一部および前記第１表示面が外部に露出する２画面状態とで切り替え可能なように前記第１キャビネットと前記第２キャビネットを連結させる機構部とをさらに備えるよう構成され得る。ここで、前記制御部は、前記２画面状態において、前記メールを前記第１表示面に表示し、実行された前記アプリケーションプログラムに関連する画面を前記第２表示面に表示する。
【０００８】
本発明に係る携帯端末装置において、前記制御部は、前記１画面状態において、前記メールを前記第１表示面に表示するよう構成され得る。また、前記制御部は、前記１画面状態から前記２画面状態に切り替えられると、前記メールを前記第１表示面に表示すると共に、実行された前記アプリケーションプログラムに関連する画面を前記第２表示面に表示する。
【００１１】
本発明に係る携帯端末装置において、前記制御部は、前記１画面状態において、前記複数の項目画像を前記第１表示面に表示するよう構成され得る。
【００１２】
本発明に係る携帯端末装置において、前記制御部は、前記第１検出部により前記複数の項目画像のうち一つの項目画像を選択する入力が検出されると、選択された項目画像により示されるアプリケーションプログラムに関連する画面を前記第１表示面に表示するよう構成され得る。
【００１３】
本発明に係る携帯端末装置において、前記第１表示面を有する第１キャビネットと、前記第２表示面を有する第２キャビネットと、前記第１表示面が外部に露出する１画面状態と、前記第２表示面の少なくとも一部および前記第１表示面が外部に露出する２画面状態とで切り替え可能なように前記第１キャビネットと前記第２キャビネットを連結させる機構部とをさらに備えるよう構成され得る。ここで、前記制御部は、前記２画面状態において、前記メールを前記第２表示面に表示し、実行された前記アプリケーションプログラムに関連する画面を前記第１表示面に表示する。
【００１４】
本発明の第２の態様に係るプログラムは、第１表示面と、第２表示面と、前記第１表示面に対する入力を検出する第１検出部と、前記第２表示面に対する入力を検出する第２検出部と、メールを送受信する通信処理部とを備える携帯端末装置のコンピュータに、前記第１および第２検出部のいずれか一方の検出部により前記メールを前記第１および第２表示面のいずれか一方の表示面に表示する入力が検出されると、前記メールを前記一方の表示面に表示すると共に、前記一方の表示面に表示される前記メールに含まれる前記所定情報に関連するアプリケーションプログラムを実行し、当該アプリケーションプログラムに関連する画面を他方の表示面に表示する表示機能を付与する。さらに、本態様に係るプロクラムは、前記表示機能が、複数のアプリケーションプログラムが実行される場合、実行される前記複数のアプリケーションプログラムの中の少なくとも２つ以上のアプリケーションプログラムについて、当該２つ以上のアプリケーションプログラムのそれぞれを示す複数の項目画像を前記一方の表示面または前記他方の表示面に表示するとともに何れか一つのアプリケーションプログラムの実行画面を前記他の表示面に表示し、何れかの項目画像が選択されると、選択された項目画像に対応するアプリケーションプログラムの実行画面を前記他の表示面に表示する機能を含む。
【００１５】
本発明の第３の態様に係るメール表示方法は、第１表示面と、第２表示面と、前記第１表示面に対する入力を検出する第１検出部と、前記第２表示面に対する入力を検出する第２検出部と、メールを送受信する通信処理部と、前記通信処理部が受信するメールに含まれる所定情報および前記所定情報に関連するアプリケーションプログラムを記憶する記憶部とを備える携帯端末装置におけるメール表示方法であって、前記メールを前記第１および第２表示面のいずれか一方の表示面に表示する入力が行われたことを検出する入力検出ステップと、前記入力検出ステップによる検出に基づいて、前記メールを前記一方の表示面に表示すると共に、前記一方の表示面に表示される前記メールに含まれる前記所定情報に関連するアプリケーションプログラムを実行し、当該アプリケーションプログラムに関連する画面を他方の表示面に表示する表示ステップと、を含む。さらに、本態様に係るメール表示方法は、前記表示ステップが、複数のアプリケーションプログラムが実行される場合、実行される前記複数のアプリケーションプログラムの中の少なくとも２つ以上のアプリケーションプログラムについて、当該２つ以上のアプリケーションプログラムのそれぞれを示す複数の項目画像を前記一方の表示面または前記他方の表示面に表示するとともに何れか一つのアプリケーションプログラムの実行画面を前記他の表示面に表示し、何れかの項目画像が選択されると、選択された項目画像に対応するアプリケーションプログラムの実行画面を前記他の表示面に表示するステップを含む。
【発明の効果】
【００１６】
本発明によれば、メールに関連する機能の操作性を向上させることができる携帯端末装置を提供することができる。
【００１７】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１８】
【図１】実施の形態に係る、閉状態および開状態の携帯電話機の外観構成および断面構成を示す図である。
【図２】実施の形態に係る、チルト状態の携帯電話機の外観構成を示す図である。
【図３】実施の形態に係る、携帯電話機の、閉状態から開状態へ変形される様子を説明する図である。
【図４】実施の形態に係る、携帯電話機の全体構成を説明するブロック図である。
【図５】実施例に係る、メールを表示する制御処理を示すフローチャートである。
【図６】実施例に係る、メール受信メッセージおよび個別メール画面を第１表示面に表示した図である。
【図７】実施例に係る、個別メール画面を第１表示面に表示し、アプリケーション実行画面を第２表示面に表示した図である。
【図８】実施例に係る、個別メール画面を第１表示面に表示し、アプリケーション実行画面を第２表示面に表示した図である。
【図９】実施例に係る、個別メール画面およびアプリケーション実行画面を第１および第２表示面に表示した図である。
【図１０】実施例に係る、個別メール画面を第１表示面に表示し、アプリケーション実行画面を第２表示面に表示した図である。
【図１１】実施例に係る、メール作成画面を第１表示面に表示し、入力キーを第２表示面に表示した図である。
【図１２】実施例に係る、個別メール画面を第１表示面に表示し、メールリスト画面を第２表示面に表示した図である。
【図１３】実施例に係る、個別メール画面およびアプリケーション実行画面を第１および第２表示面のそれぞれに表示した図である。
【発明を実施するための形態】
【００１９】
以下、本発明の実施の形態に係る携帯電話機について説明する。
【００２０】
＜携帯電話機の構成＞
図１（ａ）〜（ｄ）、図２（ａ）および（ｂ）は、本実施の形態に係る携帯電話機１の構成を示す図である。図１（ａ）は、閉状態の携帯電話機１の構成を示す斜視図、図１（ｂ）は、開状態の携帯電話機１の構成を示す斜視図である。図１（ｃ）は、図１（ａ）の携帯電話機１を右側から見たときの内部透視図、図１（ｄ）は、図１（ｂ）の携帯電話機１を右側から見たときの内部透視図である。図２（ａ）は、チルト状態の携帯電話機１を、第１キャビネット１０の手前側から見た斜視図、図２（ｂ）は、チルト状態の携帯電話機１を、第１キャビネット１０の奥側から見た斜視図である。
【００２１】
図１を参照して、携帯電話機１は、第１キャビネット１０と、第２キャビネット２０と、これら第１および第２キャビネット１０、２０を連結する連結部３０とで構成されてい
る。
【００２２】
以下、携帯電話機１に対する「右」、「左」、「上」、「下」、「手前」および「奥」の方向は、図１（ａ）および（ｂ）に示すように設定される。Ｘ軸、Ｙ軸およびＺ軸の正方向は、それぞれ、上、左および手前方向に対応する。第１および第２キャビネット１０、２０の「前面」は、それぞれ第１および第２キャビネット１０、２０の手前側の面である。第１および第２キャビネット１０、２０の「背面」は、それぞれ第１および第２キャビネット１０、２０の奥側の面である。
【００２３】
なお、閉状態は、第１キャビネット１０が、第２キャビネット２０の前面に重ねられて配された状態である。開状態は、第１キャビネット１０が、第２キャビネット２０の上側に並べられた状態である。
【００２４】
第１キャビネット１０は、左右方向に長い平坦な直方体形状を有する。第１キャビネット１０の前面には、第１タッチパネル１１が配されている。第１タッチパネル１１は、第１ディスプレイ１２および第１タッチセンサ１３を含む。
【００２５】
第１ディスプレイ１２は、液晶ディスプレイであり、液晶パネルおよびバックライトを備える。液晶パネルの背面側にバックライトが配され。液晶パネルの前面側に第１タッチセンサ１３が配される。
【００２６】
第１タッチセンサ１３は、長方形状の透明なシートであり、第１ディスプレイ１２の上に重ねられて配されている。第１タッチパネル１１の外面である第１表示面１４がユーザーによりタッチされることにより、第１表示面１４に対する位置が入力され、第１タッチセンサ１３は第１表示面１４にタッチされた位置を入力位置として検出する。第１タッチセンサ１３は、検出した入力位置に応じた位置信号を出力する。
【００２７】
第１キャビネット１０の、背面部の左側には、動画および静止画の撮像のためのレンズ窓１５（図２（ｂ）参照）が配される。
【００２８】
第１キャビネット１０の前面には、キー群１６が配される。キー群１６は、ホーム画面を第１表示面１４に表示させるためのホームキー１６Ｈ、アプリケーションプログラム（以下、「アプリケーション」と言う。）の実行の際に第１表示面１４に表示される画面をひとつ戻すためのバックキー１６Ｂ、アプリケーションの実行のためのアイコンを含むアプリケーション実行画面４１０（ランチャ画面）を第１表示面１４に表示させるためのランチャキー１６Ｒ等を含む。
【００２９】
ホームキー１６Ｈ、バックキー１６Ｂおよびランチャキー１６Ｒは、タッチキーである。指等により、ホームキー１６Ｈ、バックキー１６Ｂおよびランチャキー１６Ｒのいずれかがタッチされると、キー入力回路（後述）が入力を受け付け、タッチされたキーに応じた信号をＣＰＵ３００に出力する。
【００３０】
第２キャビネット２０は、左右方向に長い平坦な直方体形状を有する。第２キャビネット２０の前面には、第２タッチパネル２１が配されている。第２タッチパネル２１は、第２ディスプレイ２２および第２タッチセンサ２３を含む。
【００３１】
第２ディスプレイ２２は、液晶ディスプレイであり、液晶パネルおよびバックライトを備える。液晶パネルの前面が第２表示面２４となり、液晶パネルの背面側にバックライトが配される。
【００３２】
第２タッチセンサ２３は、長方形状の透明なシートであり、第２ディスプレイ２２の上に重ねられて配されている。第２タッチパネル２１の外面である第２表示面２４がユーザーによりタッチされることにより、第２表示面２４に対する位置が入力され、第２タッチセンサ２３は第２表示面２４にタッチされた位置を入力位置として検出する。第２タッチセンサ２３は、検出した入力位置に応じた位置信号を出力する。
【００３３】
なお、ユーザーが各表示面１４、２４を「タッチ」するとは、ユーザーが指やペンなどの接触部材によって各表示面１４、２４に触れることである。ユーザーが接触部材によって各表示面１４、２４を押したり、撫でたり、各表示面１４、２４に図形や文字を描いたりする場合に「タッチ」が行われる。ユーザーが各表示面１４、２４を「タップ」するとは、各表示面１４、２４のある位置において接触部材や指をタッチさせ、短時間のうちに離す動作を言う。ユーザーが各表示面１４、２４を「スライド」するとは、ユーザーが接触部材や指を、各表示面１４、２４に接触したまま、各表示面１４、２４に沿って動かす動作を言う。
【００３４】
第２キャビネット２０の前面および側面には、キー群２６が配される。キー群２６は、ホーム画面を第２表示面２４に表示させるためのホームキー２６Ｈ、アプリケーションの実行の際に第２表示面２４に表示される画面をひとつ戻すためのバックキー２６Ｂ、アプリケーション実行画面４１０を第２表示面２４に表示させるためのランチャキー２６Ｒ等を含む。ホームキー２６Ｈ、バックキー２６Ｂおよびランチャキー２６Ｒは、タッチキーである。指等により、ホームキー２６Ｈ、バックキー２６Ｂおよびランチャキー２６Ｒのいずれかがタッチされると、キー入力回路（図４参照）が入力を受け付け、タッチされたキーに応じた位置信号をＣＰＵ３００に出力する。
【００３５】
キー群２６は、第２キャビネット２０の下側側面部に配された機能キー２６Ｆ１、２６Ｆ２、２６Ｆ３をさらに含む。機能キー２６Ｆ１、２６Ｆ２、２６Ｆ３は、所定アプリケーションの実行、またはアプリケーションの実行時における音量調節その他の各種の機能のためのキーである。機能キー２６Ｆ１、２６Ｆ２、２６Ｆ３が押下されると、キー入力回路（図４参照）がこの押下に基づく入力を受け付け、押下されたキーに応じた信号をＣＰＵ３００に出力する。
【００３６】
図１（ｃ）を参照して、閉状態において、第１および第２表示面１４、２４のうち第１表示面１４のみが外部を臨む。第２表示面２４は、第１キャビネット１０の背後に配され、外部を臨まない。図１（ｄ）を参照して、開状態において、第１および第２表示面１４、２４は、携帯電話機１の前面側から外部を臨む。
【００３７】
なお、開状態において、第１表示面１４の下側の境界は、第１キャビネット１０の下側側面に近い位置（数ミリメートル）に位置する。同様に、第２表示面２４の上側の境界は、第２キャビネット２０の上側側面に近い位置（数ミリメートル）に位置する。
【００３８】
図２（ａ）および（ｂ）に示されるチルト状態において、第１キャビネット１０が、第２キャビネット２０の上側に並べられて配される。チルト状態での第１および第２キャビネット１０、２０の各前面は、図２（ａ）および（ｂ）に示される如く、所定の鈍角（たとえば百数十度）を有するよう配されている。
【００３９】
連結部３０は、中央フレーム３１、第１右フレーム３２、第１左フレーム３３、第２右フレーム３４および第２左フレーム３５を有する。中央フレーム３１は、左右に延びる形状を有する。中央フレーム３１の右端は、第１右フレーム３２の一端および第２右フレーム３４の一端に接続する。中央フレーム３１の左端は、第１左フレーム３３の一端および第２左フレーム３５の一端に接続する。
【００４０】
第１右フレーム３２および第１左フレーム３３の他端には、それぞれ左右方向に延びる軸（図示せず）が配される。この軸が、第１キャビネット１０の左右の側面部に配された溝部１７により挟まれる。なお、図２（ｂ）において、左側側面部の溝部１７のみが描かれる。これらの軸が、溝部１７に沿ってスライド移動可能に第１キャビネット１０に保持されることにより、第１キャビネット１０が、軸を中心に回転可能、且つ溝部１７に沿って上下方向にスライド可能に、第１右フレーム３２および第１左フレーム３３により保持される。
【００４１】
第２右フレーム３４および第２左フレーム３５は、第２キャビネット２０を、左右方向を軸として回転可能に保持する。
【００４２】
連結部３０は、図３（ａ）〜（ｆ）を用いて以下に説明するように、チルト状態を介して開状態と閉状態とを切り替え可能に、第１および第２キャビネット１０、２０を保持する。ユーザーは、手動で、携帯電話機１の使用状態を遷移させることができる。
【００４３】
図３（ａ）〜（ｆ）は、携帯電話機１の画面状態が閉状態（図３（ａ））から、チルト状態（図３（ｄ））を介して開状態（図３（ｆ））へ遷移される過程を、携帯電話機１の右側から見て説明する図である。
【００４４】
携帯電話機１が図３（ａ）のように閉状態にあるとき、第１キャビネット１０が手前方向（図３（ａ）の破線矢印）へ移動されると、図３（ｂ）に示す如く、第１キャビネット１０の背面が、第２キャビネット２０の前面から離れる。このとき、第１キャビネット１０の移動に応じて、連結部３０は、時計回りの方向へ回転（実線矢印）される。
【００４５】
図３（ｂ）に示される状態において、第１キャビネット１０がさらに手前方向へ移動され、且つ第１表示面１４が下側を向くように回転されると（破線矢印）、携帯電話機１の状態は、図３（ｃ）の配置状態を介して、図３（ｄ）のチルト状態に至る。チルト状態において、第１キャビネット１０の背面の下側は、連結部３０に当接する。
【００４６】
第１キャビネット１０の背面の下側が連結部３０に当接した状態が保たれたまま、連結部３０がさらに時計回りの方向（図３（ｄ）の破線矢印）へ回転されると、携帯電話機１は、図３（ｅ）に示される、第１表示面１４と第２表示面２４とが略一面状態になる状態に至る。
【００４７】
図３（ｅ）において、第１キャビネット１０および第２キャビネット２０との間には、間隙（数ミリメートル）が存在する。第１キャビネット１０を、第２キャビネット２０に対して下方向（一点鎖線矢印）へスライドさせると、図３（ｆ）のように、携帯電話機１は開状態へと至る。このとき、第１キャビネット１０の下側側面と、第２キャビネット２０の上側側面とが、互いに接した状態となる。
【００４８】
なお、携帯電話機１が図３（ｄ）で示されるチルト状態にあるとき、すなわち第１右フレーム３２および第１左フレーム３３と第２キャビネット２０とが所定の鈍角をなす状態にあるとき、連結部３０は、連結部３０の回転を弱く係止するための構造を有する。回転が弱く係止されるため、ユーザーは、チルト状態を保ったまま携帯電話機１を使用することが可能であり、且つ、使用状態をチルト状態から開状態または閉状態へ、容易に変化させることができる。
【００４９】
図４は、携帯電話機１の全体構成を示すブロック図である。本実施の形態の携帯電話機１は、上述した各構成要素の他、ＣＰＵ３００、メモリ３１０、カメラモジュール３０１
、マイク３０２、音声エンコーダ３０３、キー入力回路３０４、通信モジュール３０５、第１駆動回路３０６、第２駆動回路３０７、音声デコーダ３０８、スピーカ３０９および開閉センサ３２０を備えている。
【００５０】
カメラモジュール３０１は、第１キャビネット１０に配されている。カメラモジュール３０１は、レンズ窓１５を通った光をデジタル信号に変換してＣＰＵ３００へ出力する。
【００５１】
マイク３０２は、第１キャビネット１０に配される。マイク３０２は、集音した音声を音声信号に変換して音声エンコーダ３０３へ出力する。音声エンコーダ３０３は、マイク３０２からのアナログの音声信号をデジタルの音声信号に変換し、変換されたデジタルの音声信号をＣＰＵ３００へ出力する。
【００５２】
キー入力回路３０４は、キー群１６、２６の各キーが押下されたときに、押下されたキーに応じた信号をＣＰＵ３００へ出力する。
【００５３】
通信モジュール３０５は、通話や通信のための電波を送受信するアンテナを備える。通信モジュール３０５は、ＣＰＵ３００から入力される信号を無線信号に変換し、変換された無線信号を、アンテナを介して、基地局や他の通信装置等の通信先へ送信する。また、通信モジュール３０５は、アンテナを介して受信した無線信号をＣＰＵ３００が利用できる形式の信号へ変換し、変換された信号をＣＰＵ３００へ出力する。
【００５４】
第１駆動回路３０６は、ＣＰＵ３００からの制御信号に応じて、第１ディスプレイ１２の液晶パネルおよびバックライトを駆動する。これにより、液晶パネルが画像を描画し、バックライトが点灯して、画像が第１表示面１４に映し出される。
【００５５】
第２駆動回路３０７は、ＣＰＵ３００からの制御信号に応じて、第２ディスプレイ２２の液晶パネルおよびバックライトを駆動する。これにより、液晶パネルが画像を描画し、バックライトが点灯して、画像が第２表示面２４に映し出される。
【００５６】
音声デコーダ３０８は、ＣＰＵ３００からの音信号にデコード処理およびＤ／Ａ変換を施し、変換された信号をスピーカ３０９に出力する。スピーカ３０９は、音声デコーダ３０８から入力する信号に基づき、音を出力する。
【００５７】
開閉センサ３２０は、画面状態を検出し、画面状態に応じたデジタル信号をＣＰＵ３００へ出力する。開閉センサ３２０は、１画面状態（閉状態）と２画面状態（開状態、チルト状態）とにおける連結部３０の第２キャビネット２０に対する角度の変化を検出するための磁気センサを内蔵する。磁気センサは、第２キャビネット２０と連結部３０とを接続する軸部の回転を検出するよう配されている。ＣＰＵ３００は、開閉センサ３２０からの信号に基づき、現在の画面状態が１画面状態と２画面状態の何れであるかを検出する処理を実行する。
【００５８】
なお、開閉センサ３２０は、磁気センサのかわりに、上記軸部の回転の角度を検出する角度センサを備えてもよい。
【００５９】
メモリ３１０はＲＯＭおよびＲＡＭを含み、ＲＡＭは第１ＶＲＡＭ３１１および第２ＶＲＡＭ３１２を含む。
【００６０】
メモリ３１０には、ＣＰＵ３００に制御機能を付与するための制御プログラム、各種アプリケーション、第１および第２タッチセンサ１３、２３により入力された情報、通信モジュール３０５を介して送受信したメールなどの情報、および所定情報データベース等が
保存されている。
【００６１】
メールは、付加情報、本文および添付ファイルなどを含む。ただし、本文および添付ファイルはメールに含まれない場合も当然に有り得る。付加情報には、宛先、送信元、題名、到着日時、添付ファイルの有無や種類などメールの送受信に関する情報が含まれる。添付ファイルの種類としては、テキスト、画像、音楽などが挙げられる。
【００６２】
所定情報データベースには、所定情報と、所定情報に関連するアプリケーションの種別とが対応づけられて記憶されている。所定情報は、メールに含まれ得る情報であって、添付ファイルの種類、電話番号、郵便番号、住所、氏名、メールアドレス、日時、場所、ＵＲＬなどが含まれる。所定情報がメールに添付されたテキストである場合、これに関連するアプリケーションは、文書を作成するワープロソフトなどのアプリケーションである。所定情報がメールに添付された音楽ファイルである場合、これに関連するアプリケーションは、音楽を再生する音楽プレイヤーなどのアプリケーションである。所定情報がメールに添付された画像である場合、これに関連するアプリケーションは、画像を表示するビューアーなどのアプリケーションである。所定情報がメール本文に記載された電話番号、郵便番号、住所、氏名およびメールアドレスなど個人の識別情報である場合、これに関連するアプリケーションは、個人の識別情報を管理するアドレス帳などのアプリケーションである。所定情報がメール本文に記載された日時および場所を示すデータである場合、これに関連するアプリケーションは、スケジュールを管理するアプリケーションである。所定情報がメール本文に記載されたＵＲＬである場合、これに関連するアプリケーションは、ウェブページ画面４１３を表示するウェブブラウザー（以下、単に「ブラウザー」と言う。）などのアプリケーションである。
【００６３】
なお、上記では、所定情報がメール本文に含まれたメールアドレスである場合、関連するアプリケーションはアドレス帳としたが、メールアドレスに関連するアプリケーションはメールの作成や受信したメールを閲覧するためのメールアプリケーションであってもよい。
【００６４】
また、上記では、所定情報がメール本文に含まれた電話番号である場合、関連するアプリケーションはアドレス帳としたが、電話番号に関連するアプリケーションは電話の発着信を行うための電話アプリケーションであってもよい。
【００６５】
ＣＰＵ３００は、制御プログラムに従って、カメラモジュール３０１、マイク３０２、通信モジュール３０５、第１および第２ディスプレイ１２、２２、スピーカ３０９等を制御する。このＣＰＵ３００からの制御信号に基づいて、通話、カメラ、電子メール、ブラウザー、地図、音楽プレイヤーおよび画像再生などの各種機能を実現するアプリケーションが実行される。
【００６６】
ＣＰＵ３００は、各タッチセンサ１３、２３のいずれかによりメールを表示する操作が検出されると、通信モジュール３０５を介して送受信されたメールを第１表示面１４に表示する。また、ＣＰＵ３００は、メールから所定情報を検索し、検出された所定情報に関連するアプリケーションを所定情報データベースに基づいて特定し実行する。こうして、実行されたアプリケーションの画面（以下、「アプリケーション実行画面」と言う。）４１０が第２表示面２４に表示される。アプリケーション実行画面４１０には、ビューアー再生画面４１１、アドレス帳一覧画面４１２、ウェブページ画面４１３などが挙げられる。さらに、実行している全てのアプリケーションを示す項目画像「タブ」４２０およびタブ４２０に付された終了ボタン４２１が第２表示面２４に表示される。
【００６７】
＜実施例＞
図５は、メールを表示するためのＣＰＵ３００における制御処理を示すフローチャートである。図６（ａ）は、メールの受信を知らせるメッセージ４００が表示された第１表示面１４を示す図である。図６（ｂ）は、個別メール画面４０１が表示された第１表示面１４を示す図である。図７（ａ）は、個別メール画面４０１が第１表示面１４に表示され、ビューアー再生画面４１１が第２表示面２４に表示された状態を示す図である。図７（ｂ）は、個別メール画面４０１が第１表示面１４に表示され、アドレス帳一覧画面４１２が第２表示面２４に表示された状態を示す図である。図８は、個別メール画面４０１が第１表示面１４に表示され、ウェブページ画面４１３が第２表示面２４に表示された状態を示す図である。
【００６８】
たとえば、メールが通信モジュール３０５を介して受信されると、受信メールはメモリ３１０に記憶される。また、受信メールの一部の情報が抽出されて、図６（ａ）に示すように、１画面状態においてはメールの受信を通知するメッセージ４００が第１表示面１４に表示される。ここでは、受信通知メッセージ４００として、メールの付加情報から抽出された送信元および題名などが記される。ユーザーが受信通知メッセージ４００をタッチすると、ＣＰＵ３００は、受信メールを表示するための操作がなされたと判断する(Ｓ１０１：ＹＥＳ)。
【００６９】
ＣＰＵ３００は、表示操作がなされた受信メールをメモリ３１０から読み込む(Ｓ１０２)。次に、ＣＰＵ３００は、携帯電話機１が１画面状態か否かを開閉センサ３２０の検出信号を基に判断する(Ｓ１０３)。携帯電話機１が１画面状態であれば(Ｓ１０３：ＹＥＳ)、受信メールの宛先、送信元、題名および本文などを含む個別メール画面４０１が第１表示面１４に表示される(Ｓ１０４)。ユーザーは、個別メール画面４０１を見て、受信メールの内容を確認することができる。
【００７０】
一方、携帯電話機１が２画面状態であれば(Ｓ１０３：ＮＯ)、あるいは、個別メール画面４０１が第１表示面１４に表示された後に、ユーザーによって１画面状態から２画面状態に変更されれば（Ｓ１０５：ＹＥＳ）、ＣＰＵ３００は、所定情報データベースを参照しながら、読み込んだ受信メールの付加情報、本文および添付ファイルに所定情報が含まれているかを検索する(Ｓ１０６)。所定情報が検出されなければ（Ｓ１０６:ＮＯ）、受信メールの個別メール画面４０１が両表示面１４、２４に表示される(Ｓ１０７)。
【００７１】
受信メールから所定情報が検出されると(Ｓ１０６：ＹＥＳ)、ＣＰＵ３００は、所定情報データベースに基づいて、所定情報に関連するアプリケーションを特定し、アプリケーションを実行する(Ｓ１０８)。
【００７２】
たとえば、受信メールに、画像データのファイル「Ｉｍａｇｅ．ｂｍｐ」および音楽データのファイル「Ｍｕｓｉｃ．ｍｉｄ」が添付されている場合がある。この場合、ファイルの種類または拡張子など添付ファイルのタイプを示す情報が、メール付加情報のデータ情報または添付ファイルの付随情報に含まれている。このため、まず、メール付加情報のデータ情報または添付ファイルの付随情報が所定情報データベースの所定情報に照合される。これにより、画像および音楽の添付ファイルのタイプが検出され、所定情報データベースから画像および音楽の添付ファイルのタイプに対応するアプリケーション「ビューアー」および「プレイヤー」がメモリ３１０から読み出されて実行される。
【００７３】
また、メールの本文に、電話番号の情報「０９０−１２３４−５６７８」およびＵＲＬの情報「ｈｔｔｐ：／／ａａａ．ｃｏｍ」が含まれている場合がある。これに関しても添付ファイルのタイプと同様に、ＣＰＵ３００は、電話番号およびＵＲＬの情報に関連するアプリケーション「アドレス帳」および「ブラウザー」を特定して実行する。
【００７４】
そして、アプリケーション実行画面４１０のデータがメモリ３１０に記憶される。なお、アプリケーション実行画面４１０のデータは、アプリケーションが終了されると、メモリ３１０から消去される。
【００７５】
ステップＳ１０８において、所定情報に関連するアプリケーションが実行されると、次に、ＣＰＵ３００は、図７（ａ）に示すように、個別メール画面４０１を第１表示面１４に表示すると共に、アプリケーション実行画面４１０を第２表示面２４に表示する(Ｓ１０９)。ここでは、１つ目のアプリケーション実行画面４１０であるビューアー再生画面４１１が第２表示面２４に表示され、ユーザーは画像データの添付ファイル「Ｉｍａｇｅ」の画像を見られる。
【００７６】
また、第２表示面２４には、ビューアー再生画面４１１と共に、実行されている全てのアプリケーションを示すタブ４２０が表示される。この例では、ビューアー、プレイヤー、アドレス帳およびブラウザーの４つの実行アプリケーションを示す４つのタブ４２０が第２表示面２４に表示されている。このタブ４２０により、ユーザーは、４つのアプリケーションが実行されていること、および実行されているアプリケーションの種類がわかる。また、ビューアー再生画面４１１が表示されているときには、ビューアーのタブ４２０の色は、他のタブ４２０の色と反転している。このため、ユーザーは、４つの実行アプリケーションのうちの、どのアプリケーション実行画面４１０が表示されているかがわかる。
【００７７】
４つのタブ４２０の中からアドレス帳のタブ４２０がユーザーによりタッチされると、ＣＰＵ３００はタブ４２０の選択操作がなされたと判断する(Ｓ１１０：ＹＥＳ)。ＣＰＵ３００は、選択されたタブ４２０に対応するアドレス帳のアプリケーション実行画面４１０のデータをメモリ３１０から読み出して、図７（ｂ）に示すように、ビューアー再生画面４１１に代えてアドレス帳一覧画面４１２を第２表示面２４に表示する(Ｓ１１１)。このとき、ビューアーのタブ４２０は標準の色になり、アドレス帳のタブ４２０の色が反転される。また、ビューアー再生画面４１１は表示されないが、ビューアー再生画面４１１のデータはメモリ３１０に保存されているままである。よって、ビューアーのタブ４２０が再びタッチされると、ビューアー再生画面４１１は素早く表示される。
【００７８】
タブ４２０には終了ボタン４２１が付されている。アドレス帳のタブ４２０において終了ボタン４２１がユーザーによりタッチされると、ＣＰＵ３００はアドレス帳の終了ボタン４２１が操作されたと判断する(Ｓ１１２：ＹＥＳ)。これにより、アドレス帳のアプリケーションが終了され(Ｓ１１３)、図７（ｂ）に示すアドレス帳一覧画面４１２およびタブ４２０が消えると共に、アドレス帳のアプリケーション実行画面４１０のデータがメモリ３１０から消去される。
【００７９】
アドレス帳以外の実行アプリケーションがあれば(Ｓ１１４：ＹＥＳ)、その中でアドレス帳の次に表示されるよう順位付けされたアプリケーション、ここでは、ブラウザーのアプリケーション実行画面４１０データがメモリ３１０から読み出され、図８に示すように、ウェブページ画面４１３が第２表示面２４に表示される(Ｓ１１５)。
【００８０】
一方、アドレス帳以外の全ての実行アプリケーションも終了され、メールに関連する実行アプリケーションがなければ(Ｓ１１４：ＮＯ)、図９（ａ）に示すように、個別メール画面４０１が両表示面１４、２４に表示される(Ｓ１１６)。これにより、個別メール画面４０１の多くの情報が表示され得る。
【００８１】
なお、ユーザーにより２画面状態から１画面状態に切り替えられる場合があるが、１画面状態となっても、２画面状態において実行されていたアプリケーションは終了されず、
実行されたままとなる。
【００８２】
以上、本実施例によれば、ユーザーがメールを表示する操作をすると、メールに含まれる所定情報が検索され、検出された所定情報に関連するアプリケーションが実行される。これにより、ユーザーは、個別メール画面４０１に含まれる所定情報を探し出し、所定情報に関連するアプリケーションを選んで実行する手間が省け、操作性に優れる。
【００８３】
また、本実施例によれば、２画面状態において、個別メール画面４０１が第１表示面１４に表示され、アプリケーション実行画面４１０が第２表示面２４に表示される。このため、ユーザーは、個別メール画面４０１の内容と個別メール画面４０１に関連する内容とを並行して見られ、これらを結び付けてメールの内容を容易に理解することができる。
【００８４】
また、本実施例によれば、実行されている全てのアプリケーションを示すタブ４２０が第２表示面２４に表示されることにより、ユーザーは、実行されているアプリケーションの数および種類がわかる。しかも、この実行アプリケーションの種類から、どのような内容の情報が個別メール画面４０１に含まれているかも容易に把握することもできる。
【００８５】
また、本実施例によれば、タブ４２０をタッチするだけで、表示されるアプリケーション実行画面４１０を切り替えることができる。その上、タブ４２０に付されている終了ボタン４２１をタッチすると、タブ４２０に対応する実行アプリケーションを終了できるため、不要なアプリケーションを閉じる事ができる。
【００８６】
さらに、本実施例によれば、２画面状態から１画面状態に切り替えられても、メールに関連する実行アプリケーションは終了されず、アプリケーション実行画面４１０のデータはメモリ３１０から消去されない。よって、その後再び１画面状態から２画面状態に遷移されると、アプリケーションの実行操作なく、アプリケーション実行画面４１０が第２表示面２４に速やかに表示される。
【００８７】
＜その他＞
上記実施例において、２画面状態において個別メール画面４０１の表示領域を選択するためのボタンを表示することができる。この場合、ＣＰＵ３００により、以下の制御処理が行われる。
【００８８】
たとえば、図７（ａ）に示すように、２画面状態において個別メール画面４０１およびアプリケーション実行画面４１０が各表示面１４、２４に表示されている場合、第１表示面１４に「全画面」と記されたボタン４３０が表示される。この「全画面」ボタン４３０がタッチされると、図９（ａ）に示すように、個別メール画面４０１が第１表示面１４に加え、第２表示面２４にも表示される。このように、個別メール画面４０１の表示領域が拡大され、個別メール画面４０１の多くの内容が表示され得る。
【００８９】
一方、図９（ａ）に示すように、２画面状態において個別メール画面４０１が両表示面１４、２４に表示されている場合、「２画面」と記されたボタン４３１が第１表示面１４に表示される。この「２画面」ボタン４３１がタッチされると、図７（ａ）に示すように、個別メール画面４０１が第１表示面１４に表示され、アプリケーション実行画面４１０が第２表示面２４に表示される。よって、個別メール画面４０１に加えてアプリケーション実行画面４１０も並行して表示され得る。
【００９０】
このように、表示領域の選択ボタン「全画面」ボタン４３０および「２画面」ボタン４３１が操作されるだけで、必要に応じて、個別メール画面４０１を表示する領域が簡単に切り替えられる。
【００９１】
また、図９（ａ）に示すように、表示領域の選択ボタンにより個別メール画面４０１が両表示面１４、２４に表示されている状況においても、アプリケーションは終了されず、アプリケーション実行画面４１０のデータはメモリ３１０に記憶されている。このため、「２画面」ボタン４３１が操作されるだけで、アプリケーションを実行する操作および時間を要せずに、アプリケーション実行画面４１０が第２表示面２４に表示される。
【００９２】
また、上記実施例において、２画面状態においてアプリケーション実行画面４１０の表示領域を選択するためのボタンを表示することもできる。この場合、ＣＰＵ３００により、以下の制御処理が行われる。
【００９３】
たとえば、図７（ｂ）に示すように、アドレス帳一覧画面４１２が第２表示面２４に表示されている場合、第１表示面１４に上向き矢印のボタン４３２が第２表示面２４に表示される。この上向き矢印ボタン４３２がタッチされると、図９（ｂ）に示すように、アドレス帳一覧画面４１２が第１および第２表示面１４、２４にも表示される。このように、アドレス帳のアプリケーション実行画面４１０が拡大され、多くの情報が表示され得る。
【００９４】
一方、図９（ｂ）に示す第１表示面１４には下向き矢印のボタン４３３が表示される。この下向き矢印ボタン４３３がタッチされると、図７（ｂ）に示すように、第１表示面１４に個別メール画面４０１が表示され、第２表示面２４にアドレス帳一覧画面４１２が表示される。このように、アプリケーション実行画面４１０と並行して個別メール画面４０１が表示される。
【００９５】
さらに、上記実施例において、メールを操作するボタンを表示することもできる。たとえば、図７（ａ）に示すように、「削除」ボタン４３４、「返信」ボタン４３５および「メニュー」ボタン４３６が第１表示面１４に表示される。この場合、ＣＰＵ３００により、以下の制御処理が行われる。
【００９６】
「削除」ボタン４３４がタッチされると、表示されている個別メール画面４０１が消されると共に、個別メール画面４０１のメールもメモリ３１０から削除される。これにより、表示されていたメールの直前に受信された前メールがメモリ３１０から読み出されて、図１０に示すように、前メールの個別メール画面４０１が第１表示面１４に表示される。また、前メールに関連するアプリケーションが検索され、検出されたアプリケーションが実行され、このアプリケーション実行画面４１０が第２表示面２４に表示される。なお、この前メールの本文には日時情報「８月１日」および場所情報「大阪駅」が含まれている。このため、日時情報に関連するアプリケーション「スケジュール」および場所情報に関連するアプリケーション「マップ」が実行されて、これらのタブ４２０およびスケジュール画面４１４が第２表示面２４に表示される。
【００９７】
「返信」ボタン４３５がタッチされると、図１１に示すように、個別メール画面４０１のメールに対する返信メールの入力画面４０３が第１表示面１４に表示される。また、第２表示面２４に入力キー４０４が表示される。入力キー４０４が操作されると、入力キー４０４に応じた文字が第１表示面１４の入力画面４０３に表示される。ここで、「送信」ボタン４４０がタッチされると、返信メールが送信される。
【００９８】
また、上記実施例において、表示されるメールを選択するためのボタンを表示することもできる。たとえば、図７（ａ）に示すように、左向き矢印ボタン４３７および右向き矢印ボタン４３８が第１表示面１４に表示される。この場合、ＣＰＵ３００により、以下の制御処理が行われる。左向き矢印ボタン４３７がタッチされると、第１表示面１４に前メールの個別メール画面４０１が表示され、第２表示面２４に前メールに関連するアプリケ
ーション実行画面４１０が表示される。これに対し、右向き矢印ボタン４３８がタッチされると、表示されていたメールの後に受信された次メールの個別メール画面４０１第１表示面１４に表示される。また、次メールに関連するアプリケーションが検出されて実行され、このアプリケーション実行画面４１０が第２表示面２４に表示される。
【００９９】
さらに、上記実施例では、メールの受信を知らせるメッセージ４００がタッチされることにより、個別メール画面４０１が表示されたが、個別メール画面４０１の表示方法はこれに限定されない。また、受信メールだけでなく、送信メールや下書き保存のメールなども、受信メールと同様に処理される。
【０１００】
また、上記実施例では、メールに関する全ての情報から所定情報を検索したが、添付ファイルだけ、本文だけなど、所定情報の検索範囲を限定することもできる。
【０１０１】
さらに、上記実施例では、メールの中から所定情報が検出されなかった場合、２画面状態において個別メール画面４０１が両表示面１４、２４に表示された。これに対して、図１２に示すように、第１表示面１４に個別メール画面４０１が表示され、第２表示面２４にメールリスト画面４０２が表示されてもよい。
【０１０２】
また、上記実施例では、２画面状態から１画面状態に切り替えられた際、１画面状態では実行アプリケーションに関する画像は表示されない。これに対し、図１３（ａ）に示すように、個別メール画面４０１と共に、実行アプリケーションを示すタブ４２０を第１表示面１４に表示することもできる。これにより、実行されたアプリケーションの数や種類などがわかる。また、タブ４２０がタッチされると、図１３（ｂ）に示すように、個別メール画面４０１に代えて、タッチされたタブ４２０に対応するアプリケーション実行画面４１０が第１表示面１４に表示される。このとき、タブ４２０と共に、アプリケーション実行画面４１０を閉じるためのボタン４３９も第１表示面１４に表示される。このボタン４３９がタッチされると、アプリケーション実行画面４１０から個別メール画面４０１に戻される。さらに、図１３（ａ）および図１３（ｂ）の１画面状態から図１３（ｃ）に示す２画面状態に画面状態が切り替えられると、第１表示面１４に個別メール画面４０１が表示され、第２表示面２４にアプリケーション実行画面４１０が表示される。
【０１０３】
なお、１画面状態において受信メールが読み込まれた際に、所定情報が検出され、所定情報に関連するアプリケーションが実行されるようにしても良い。この場合、図１３（ａ）のように、１画面状態において、個別メール画面４０１と共に、実行アプリケーションを示すタブ４２０が第１表示面１４に表示されても良い。
【０１０４】
さらに、上記実施例では、所定情報が検出された順に、タブ４２０が並べられ、アプリケーション実行画面４１０が第２表示面２４に表示された。このタブ４２０の並びおよびアプリケーション実行画面４１０を表示する順を所定または任意に設定され得る。たとえば、アプリケーション毎にユーザーの使用頻度や最終使用日などが記憶されている。この記憶に基づいてユーザーの使用頻度が高い順や最終使用日が新しい順などに従って、アプリケーションのタブ４２０が並べられ、アプリケーション実行画面４１０が表示されてもよい。
【０１０５】
また、上記実施例では、２画面状態では個別メール画面４０１が第１表示面１４に表示され、アプリケーション実行画面４１０が第２表示面２４に表示された。これと反対に、２画面状態において個別メール画面４０１が第２表示面２４に表示され、アプリケーション実行画面４１０が第１表示面１４に表示されてもよい。
【０１０６】
さらに、上記実施例では、第２表示面２４にアプリケーション実行画面４１０およびタ
ブ４２０の両方が表示されたが、タブ４２０は表示されなくてもよいし、また、タブ４２０は第１表示面１４に表示されてもよい。
【０１０７】
さらに、上記実施例では、携帯電話機１を用いたが、ＰＤＡやタブレットＰＣ、電子書籍端末、携帯ゲーム機などの携帯端末装置を用いることもできる。
【０１０８】
また、上記実施例では、携帯電話機１が、閉じた状態では第１ディスプレイ１２が外部に露出し、開いた状態になると第１ディスプレイ１２および第２ディスプレイ２２の双方が外部に露出する構成とされている。しかしながら、本発明は、２つのディスプレイを備える他の構成の携帯端末装置にも適用され得る。たとえば、第１ディスプレイと第２ディスプレイとが対面するように折り畳まれる携帯端末装置に適用され得る。この携帯端末装置では、折り畳まれた状態、即ち、閉じた状態では、何れのディスプレイも外部に露出しない。携帯端末装置が開かれると、第１ディスプレイおよび第２ディスプレイの双方が外部に露出する。
【０１０９】
さらに、上記実施例において、第１および第２表示面１４、２４に表示された画面のサイズがユーザーによる拡大あるいは縮小操作（ピンチイン、ピンチアウト）などにより変更されてもよい。
【０１１０】
また、上記実施例では、各表示面１４、２４にメールを表示する操作が各タッチセンサ１３、２３により検出された。これに対し、キー群１６、２６のいずれかのキーにメールを各表示面１４、２４に表示するための機能が割り当てられていてもよい。この場合、このキーが押下されることにより、押下されたキーに応じた信号がキー入力回路３０４を介してＣＰＵ３００へ出力され、メールを表示する操作が検出される。
【０１１１】
さらに、上記実施例では、メモリ３１０に所定情報データベースが記憶されていた。この所定情報データベースはインターネットなどの通信回線を介して受信されたデータであってもよい。また、メモリ３１０は複数の部分から構成されていてもよく、その全ての部分が携帯電話機１に内蔵されていなくてもよい。
【０１１２】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１１３】
１  携帯電話機  （携帯端末装置）
１０  第１キャビネット
１２  第１ディスプレイ  （第１表示部）
１３  第１タッチセンサ  （第１検出部）
１６  キー群  （第１検出部、第２検出部）
２０  第２キャビネット
２２  第２ディスプレイ  （第２表示部）
２３  第２タッチセンサ  （第２検出部）
２６  キー群  （第１検出部、第２検出部）
３００  ＣＰＵ  （制御部）
３０５  通信モジュール  （通信処理部）
３１０  メモリ  （記憶部）
【図１】
0005743823.tif 000002
【図２】
0005743823.tif 000003
【図３】
0005743823.tif 000004
【図４】
0005743823.tif 000005
【図５】
0005743823.tif 000006
【図６】
0005743823.tif 000007
【図７】
0005743823.tif 000008
【図８】
0005743823.tif 000009
【図９】
0005743823.tif 000010
【図１０】
0005743823.tif 000011
【図１１】
0005743823.tif 000012
【図１２】
0005743823.tif 000013
【図１３】
0005743823.tif 000014